【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
ネットワークの第１のコンフィギュレータデバイスによって実行される方法であって、
前記第１のコンフィギュレータデバイスによって、前記ネットワークでエンローリデバイスを登録するために前記第１のコンフィギュレータデバイスがコンフィギュレータ秘密署名鍵を使用するように構成されたデバイスプロビジョニングプロトコルを実装することと、
前記第１のコンフィギュレータデバイスに関連付けられた少なくとも前記コンフィギュレータ秘密署名鍵を含む、コンフィギュレータ鍵パッケージを生成することと、
前記コンフィギュレータ鍵パッケージの少なくとも一部分を暗号化することと、
第２のコンフィギュレータデバイスによる後のリストアのためのバックアップとして、ストレージロケーションに前記コンフィギュレータ鍵パッケージを記憶することと、
を備え、同じコンフィギュレータ秘密署名鍵および同じコンフィギュレータ公開検証鍵は、前記デバイスプロビジョニングプロトコルに従って前記ネットワークで異なるエンローリデバイスを登録するために、前記第２のコンフィギュレータデバイスを含む複数のコンフィギュレータ間で共有される、方法。
【請求項２】
前記コンフィギュレータ鍵パッケージは、前記コンフィギュレータ秘密署名鍵に関連付けられるコンフィギュレータ公開検証鍵をさらに含む、請求項１に記載の方法。
【請求項３】
前記コンフィギュレータ鍵パッケージの少なくとも前記一部分を暗号化することは、前記コンフィギュレータ秘密署名鍵とは異なる暗号鍵を使用して前記コンフィギュレータ鍵パッケージを暗号化することを含む、請求項１に記載の方法。
【請求項４】
前記コンフィギュレータ鍵パッケージの少なくとも前記一部分を暗号化することは、秘密鍵暗号化技法を使用して前記コンフィギュレータ秘密署名鍵を暗号化することと、前記コンフィギュレータ鍵パッケージのヘッダ中に前記秘密鍵暗号化技法のインジケーションを含めることと、を含む、請求項１に記載の方法。
【請求項５】
前記コンフィギュレータ鍵パッケージを記憶することは、
前記コンフィギュレータ鍵パッケージと復号情報とを含むデジタルエンベロープを生成することを含み、前記復号情報は、前記第２のコンフィギュレータデバイスが前記コンフィギュレータ鍵パッケージの少なくとも前記一部分を復号することを可能にする、
請求項１に記載の方法。
【請求項６】
前記ストレージロケーションは、前記第１のコンフィギュレータデバイスのメモリ、ネットワーク共有ロケーション、パーソナルコンピュータ、ホームサーバ、クラウドベースのストレージサービス、およびワイヤレスネットワークのアクセスポイント（ＡＰ）、からなるグループから選択される少なくとも１つのメンバである、請求項１に記載の方法。
【請求項７】
前記第１のコンフィギュレータデバイスによって、前記ストレージロケーションから前記コンフィギュレータ鍵パッケージの前記バックアップを検索することと、
前記コンフィギュレータ鍵パッケージの少なくとも前記一部分を復号することと、
前記コンフィギュレータ鍵パッケージから前記コンフィギュレータ秘密署名鍵を取得することと、
をさらに備える、請求項１に記載の方法。
【請求項８】
前記コンフィギュレータ鍵パッケージから取得された前記コンフィギュレータ秘密署名鍵に少なくとも部分的に基づいて、コンフィギュレータ公開検証鍵を決定すること、
をさらに備える、請求項７に記載の方法。
【請求項９】
前記ストレージロケーションにおける前記コンフィギュレータ鍵パッケージのロケーションアドレスを決定することと、
前記第２のコンフィギュレータデバイスに前記ロケーションアドレスを提供することと、
をさらに備える、請求項１に記載の方法。
【請求項１０】
前記第２のコンフィギュレータデバイスに復号情報を提供することをさらに備え、前記復号情報は、前記第２のコンフィギュレータデバイスが、前記コンフィギュレータ鍵パッケージの少なくとも前記一部分を復号することと、前記コンフィギュレータ秘密署名鍵を取得することと、を可能にする、
請求項１に記載の方法。
【請求項１１】
前記復号情報は、前記ストレージロケーションにおける前記コンフィギュレータ鍵パッケージのロケーションアドレスと、前記コンフィギュレータ鍵パッケージの少なくとも前記一部分を復号するために使用可能な暗号鍵と、からなるグループから選択される少なくとも１つのメンバを含む、請求項１０に記載の方法。
【請求項１２】
前記復号情報を提供することは、前記第１のコンフィギュレータデバイスのディスプレイ、スピーカ、光信号、センサインターフェース、および短距離無線周波数インターフェース、からなるグループから選択される少なくとも１つのメンバからの信号中で前記復号情報を通信することを含む、請求項１０に記載の方法。
【請求項１３】
前記復号情報を提供することは、前記復号情報が符号化されているイメージを表示することを含む、請求項１０に記載の方法。
【請求項１４】
前記イメージは、バーコードまたはクイックレスポンス（ＱＲ）コードイメージである、請求項１３に記載の方法。
【請求項１５】
第１のコンフィギュレータデバイスで使用するための装置であって、
少なくとも１つのプロセッサと、前記少なくとも1つのプロセッサは、
前記ネットワークでエンローリデバイスを登録するために前記第１のコンフィギュレータデバイスがコンフィギュレータ秘密署名鍵を使用するように構成されたデバイスプロビジョニングプロトコルを実装することと、
前記第１のコンフィギュレータデバイスに関連付けられた少なくとも前記コンフィギュレータ秘密署名鍵を含む、コンフィギュレータ鍵パッケージを生成することと、
前記コンフィギュレータ鍵パッケージの少なくとも一部分を暗号化することと、
を行うように構成され、
第２のコンフィギュレータデバイスによる後のリストアのためのバックアップとして、ストレージロケーションに前記コンフィギュレータ鍵パッケージを出力するように構成された第１のインターフェースと、
を備え、同じコンフィギュレータ秘密署名鍵および同じコンフィギュレータ公開検証鍵は、前記デバイスプロビジョニングプロトコルに従って前記ネットワークで異なるエンローリデバイスを登録するために、前記第２のコンフィギュレータデバイスを含む複数のコンフィギュレータ間で共有される、装置。
【請求項１６】
前記プロセッサは、前記コンフィギュレータ秘密署名鍵とは異なる暗号鍵を使用して前記コンフィギュレータ鍵パッケージを暗号化する
ようにさらに構成される、請求項１５に記載の装置。
【請求項１７】
前記プロセッサは、
秘密鍵暗号化技法を使用して前記コンフィギュレータ秘密署名鍵を暗号化することと、
前記コンフィギュレータ鍵パッケージのヘッダ中に前記秘密鍵暗号化技法のインジケーションを含めることと、
を行うようにさらに構成される、請求項１５に記載の装置。
【請求項１８】
前記プロセッサは、前記コンフィギュレータ鍵パッケージと復号情報とを含むデジタルエンベロープを生成するようにさらに構成され、前記復号情報は、前記第２のコンフィギュレータデバイスが前記コンフィギュレータ鍵パッケージの少なくとも前記一部分を復号することを可能にする、請求項１５に記載の装置。
【請求項１９】
前記プロセッサは、
前記ストレージロケーションから前記コンフィギュレータ鍵パッケージの前記バックアップを検索することと、
前記コンフィギュレータ鍵パッケージの少なくとも前記一部分を復号することと、
前記コンフィギュレータ鍵パッケージから前記コンフィギュレータ秘密署名鍵を取得することと、
を行うようにさらに構成される、請求項１５に記載の装置。
【請求項２０】
プロセッサは、
前記ストレージロケーションにおけるコンフィギュレータ鍵パッケージのロケーションアドレスを決定することと、
前記第２のコンフィギュレータデバイスに前記ロケーションアドレスを提供することと、
を行うようにさらに構成される、請求項１５に記載の装置。
【請求項２１】
プロセッサは、前記第２のコンフィギュレータデバイスに復号情報を提供するようにさらに構成され、前記復号情報は、前記第２のコンフィギュレータデバイスが、前記コンフィギュレータ鍵パッケージの少なくとも前記一部分を復号することと、前記コンフィギュレータ秘密署名鍵を取得することと、を可能にする、請求項１５に記載の装置。
【請求項２２】
前記復号情報は、前記ストレージロケーションにおける前記コンフィギュレータ鍵パッケージのロケーションアドレスと、前記コンフィギュレータ鍵パッケージの少なくとも前記一部分を復号するために使用可能な暗号鍵と、からなるグループから選択される少なくとも１つのメンバを含む、請求項２１に記載の装置。
【請求項２３】
前記プロセッサは、前記第１のコンフィギュレータデバイスのディスプレイ、スピーカ、光信号、センサインターフェース、および短距離無線周波数インターフェース、からなるグループから選択される少なくとも１つのメンバを使用して前記復号情報を提供するようにさらに構成される、請求項２１に記載の装置。
【請求項２４】
ネットワークの第１のコンフィギュレータデバイスで使用するためのワイヤレス通信デバイスであって、
少なくとも１つのモデムと、
前記少なくとも１つのモデムと通信可能に結合された少なくとも１つのプロセッサと、
前記少なくとも１つのプロセッサと通信可能に結合され、プロセッサ可読コードを記憶する少なくとも１つのメモリと、を備え、
前記プロセッサ可読コードは、前記少なくとも１つのモデムと連携して前記少なくとも１つのプロセッサによって実行されたとき、
前記ネットワークでエンローリデバイスを登録するために前記第１のコンフィギュレータデバイスがコンフィギュレータ秘密署名鍵を使用するように構成されたデバイスプロビジョニングプロトコルを実装することと、
前記第１のコンフィギュレータデバイスに関連付けられた少なくとも前記コンフィギュレータ秘密署名鍵を含む、コンフィギュレータ鍵パッケージを生成することと、
前記コンフィギュレータ鍵パッケージの少なくとも一部分を暗号化することと、
第２のコンフィギュレータデバイスによる後のリストアのためのバックアップとして、ストレージロケーションに前記コンフィギュレータ鍵パッケージを記憶することと、ここにおいて、同じコンフィギュレータ秘密署名鍵および同じコンフィギュレータ公開検証鍵は、前記デバイスプロビジョニングプロトコルに従って前記ネットワークで異なるエンローリデバイスを登録するために、前記第２のコンフィギュレータデバイスを含む複数のコンフィギュレータ間で共有される、
を行うように構成される、ワイヤレス通信デバイス。
【請求項２５】
前記プロセッサ可読コードは、前記少なくとも１つのプロセッサによって実行されたとき、
秘密鍵暗号化技法を使用して前記コンフィギュレータ秘密署名鍵を暗号化することと、
前記コンフィギュレータ鍵パッケージのヘッダ中に前記秘密鍵暗号化技法のインジケーションを含めることと、
を行うように構成される、請求項２４に記載のワイヤレス通信デバイス。
【請求項２６】
前記プロセッサ可読コードは、前記少なくとも１つのプロセッサによって実行されたとき、
前記ストレージロケーションから前記コンフィギュレータ鍵パッケージの前記バックアップを検索することと、
前記コンフィギュレータ鍵パッケージの少なくとも前記一部分を復号することと、
前記コンフィギュレータ鍵パッケージから前記コンフィギュレータ秘密署名鍵を取得することと、
を行うように構成される、請求項２４に記載のワイヤレス通信デバイス。
【請求項２７】
モバイル局であって、
ネットワークの第１のコンフィグレータデバイスにおいて使用するためのワイヤレス通信デバイスを備え、前記ワイヤレス通信デバイスは、
少なくとも１つのモデムと、
前記少なくとも１つのモデムと通信可能に結合された少なくとも１つのプロセッサと、
前記少なくとも１つのプロセッサと通信可能に結合され、プロセッサ可読コードを記憶する少なくとも１つのメモリと、
前記プロセッサ可読コードは、前記少なくとも１つのモデムと連携して前記少なくとも１つのプロセッサによって実行されたとき、
ネットワークでエンローリデバイスを登録するために第１のコンフィギュレータデバイスがコンフィギュレータ秘密署名鍵を使用するように構成されたデバイスプロビジョニングプロトコルを実装することと、
前記第１のコンフィギュレータデバイスに関連付けられた少なくとも前記コンフィギュレータ秘密署名鍵を含む、コンフィギュレータ鍵パッケージを生成することと、
前記コンフィギュレータ鍵パッケージの少なくとも一部分を暗号化することと、
第２のコンフィギュレータデバイスによる後のリストアのためのバックアップとして、ストレージロケーションに前記コンフィギュレータ鍵パッケージを記憶することと、ここにおいて、同じコンフィギュレータ秘密署名鍵および同じコンフィギュレータ公開検証鍵は、前記デバイスプロビジョニングプロトコルに従って前記ネットワークで異なるエンローリデバイスを登録するために、前記第２のコンフィギュレータデバイスを含む複数のコンフィギュレータ間で共有される、
を行うように構成され、
前記少なくとも１つのモデムに結合された少なくとも１つのトランシーバと、
前記少なくとも１つのトランシーバから出力された信号をワイヤレスに送信するために、および前記少なくとも１つのトランシーバへの入力のための信号をワイヤレスに受信するために、前記少なくとも１つのトランシーバに結合された少なくとも１つのアンテナと、
前記少なくとも１つのモデム、前記少なくとも１つのプロセッサ、前記少なくとも１つのメモリ、前記少なくとも１つのトランシーバ、および前記少なくとも１つのアンテナの少なくとも一部分、を包含するハウジングと、
を備える、モバイル局。
【手続補正２】
【補正対象書類名】明細書
【補正対象項目名】０１１０
【補正方法】変更
【補正の内容】
【０１１０】
[00119]  同様に、動作が特定の順序で図面に図示されているが、このことは、そのような動作が、望ましい結果を達成するために、示された特定の順序または連続した順序で行われること、または全ての例示された動作が行われることを必要とするものと理解されるべきではない。さらに、図面は、フロー図の形式でもう１つの実例的なプロセスを概略的に図示し得る。しかしながら、図示されていない他の動作は、概略的に例示されている実例的なプロセス中に組み込まれることができる。例えば、１つまたは複数の追加の動作は、例示されている動作のいずれかの前に、後で、同時に、または間に行われ得る。ある特定の状況では、マルチタスクおよび平行処理が有利であり得る。さらに、上述された実装における様々なシステムコンポーネントの分離は、すべての実装においてそのような分離を必要とするものと理解されるべきではなく、説明されたプログラムコンポーネントおよびシステムが、概して、単一のソフトウェア製品に一体化されるか、または複数のソフトウェア製品にパッケージ化される得ることが理解されるべきである。加えて、他の実施形態は、下記の特許請求の範囲内にある。いくつかのケースでは、特許請求の範囲に記載されるアクションは、異なる順序で行われ、それでもなお望ましい結果を達成することができる。
以下に本願の出願当初の特許請求の範囲に記載された発明を付記する。
［Ｃ１］
ネットワークの第１のコンフィギュレータデバイスによって実行される方法であって、  前記第１のコンフィギュレータデバイスに関連付けられた少なくともコンフィギュレータ秘密署名鍵を含む、コンフィギュレータ鍵パッケージを生成することと、
前記コンフィギュレータ鍵パッケージの少なくとも一部分を暗号化することと、
前記第１のコンフィギュレータデバイスまたは第２のコンフィギュレータデバイスによる後のリストアのためのバックアップとして、ストレージロケーションに前記コンフィギュレータ鍵パッケージを記憶することと、
を備える、方法。
［Ｃ２］
前記コンフィギュレータ鍵パッケージは、前記コンフィギュレータ秘密署名鍵に関連付けられるコンフィギュレータ公開検証鍵をさらに含む、Ｃ１に記載の方法。
［Ｃ３］
前記コンフィギュレータ鍵パッケージの少なくとも前記一部分を暗号化することは、前記コンフィギュレータ秘密署名鍵とは異なる暗号鍵を使用して前記コンフィギュレータ鍵パッケージを暗号化することを含む、Ｃ１に記載の方法。
［Ｃ４］
少なくとも前記コンフィギュレータ鍵パッケージの少なくとも前記一部分を暗号化することは、秘密鍵暗号化技法を使用して前記コンフィギュレータ秘密署名鍵を暗号化することと、前記コンフィギュレータ鍵パッケージのヘッダ中に前記秘密鍵暗号化技法のインジケーションを含めることと、を含む、Ｃ１に記載の方法。
［Ｃ５］
前記コンフィギュレータ鍵パッケージを記憶することは、
前記コンフィギュレータ鍵パッケージと復号情報とを含むデジタルエンベロープを生成することを含み、前記復号情報は、前記第２のコンフィギュレータデバイスが前記コンフィギュレータ鍵パッケージの少なくとも前記一部分を復号することを可能にする、
Ｃ１に記載の方法。
［Ｃ６］
前記ストレージロケーションは、前記第１のコンフィギュレータデバイスのメモリ、ネットワーク共有ロケーション、パーソナルコンピュータ、ホームサーバ、クラウドベースのストレージサービス、およびワイヤレスネットワークのアクセスポイント（ＡＰ）、からなるグループから選択される少なくとも１つのメンバである、Ｃ１に記載の方法。
［Ｃ７］
前記コンフィギュレータ鍵パッケージを記憶することは、前記コンフィギュレータ鍵パッケージのバックアップを記憶することを含み、前記方法は、
前記第１のコンフィギュレータデバイスによって、前記ストレージロケーションから、前記コンフィギュレータ鍵パッケージの前記バックアップを検索することと、
前記コンフィギュレータ鍵パッケージのすくなくとも前記一部分を復号することと、  前記コンフィギュレータ鍵パッケージから前記コンフィギュレータ秘密署名鍵を取得することと、
をさらに備える、Ｃ１に記載の方法。
［Ｃ８］
前記コンフィギュレータ鍵パッケージから取得された前記コンフィギュレータ秘密署名鍵に少なくとも部分的に基づいて、コンフィギュレータ公開検証鍵を決定すること、
をさらに備える、Ｃ７に記載の方法。
［Ｃ９］
前記ストレージロケーションにおける前記コンフィギュレータ鍵パッケージのロケーションアドレスを決定することと、
前記第２のコンフィギュレータデバイスに前記ロケーションアドレスを提供することと、
をさらに備える、Ｃ１に記載の方法。
［Ｃ１０］
前記第２のコンフィギュレータデバイスに復号情報を提供することをさらに備え、前記復号情報は、前記第２のコンフィギュレータデバイスが、前記コンフィギュレータ鍵パッケージの少なくとも前記一部分を復号することと、前記コンフィギュレータ秘密署名鍵を取得することと、を可能にする、
Ｃ１に記載の方法。
［Ｃ１１］
前記復号情報は、前記ストレージロケーションにおける前記コンフィギュレータ鍵パッケージのロケーションアドレスと、前記コンフィギュレータ鍵パッケージの少なくとも前記一部分を復号するために使用可能な暗号鍵と、からなるグループから選択される少なくとも１つのメンバを含む、Ｃ１０に記載の方法。
［Ｃ１２］
前記復号情報を提供することは、前記第１のコンフィギュレータデバイスのディスプレイ、スピーカ、光信号、センサインターフェース、および短距離無線周波数インターフェース、からなるグループから選択される少なくとも１つのメンバを使用して前記復号情報を提供することを含む、Ｃ１０に記載の方法。
［Ｃ１３］
前記復号情報を提供することは、前記復号情報が符号化されているイメージを表示することを含む、Ｃ１０に記載の方法。
［Ｃ１４］
前記イメージは、バーコードまたはクイックレスポンス（ＱＲ）コードイメージである、Ｃ１３に記載の方法。
［Ｃ１５］
コンフィギュレータ公開検証鍵は、前記コンフィギュレータ秘密署名鍵から導出されるか、または前記コンフィギュレータ鍵パッケージから取得され、
前記コンフィギュレータ秘密署名鍵および前記コンフィギュレータ公開検証鍵は、第１のネットワークの複数のコンフィギュレータ間で共有され、
前記複数のコンフィギュレータの各々は、前記第１のネットワーク用にエンローリデバイスを構成するために、デバイスプロビジョニングプロトコルに従って前記コンフィギュレータ秘密署名鍵および前記コンフィギュレータ公開検証鍵を使用することが可能である、
Ｃ１に記載の方法。
［Ｃ１６］
第１のコンフィギュレータデバイスであって、
プロセッサと、
命令を記憶したメモリと、
を備え、前記命令は、前記プロセッサによって実行されると、前記第１のコンフィギュレータデバイスに、
前記第１のコンフィギュレータデバイスに関連付けられた少なくともコンフィギュレータ秘密署名鍵を含む、コンフィギュレータ鍵パッケージを生成することと、
前記コンフィギュレータ鍵パッケージの少なくとも一部分を暗号化することと、
前記第１のコンフィギュレータデバイスまたは第２のコンフィギュレータデバイスによる後のリストアのためのバックアップとして、ストレージロケーションに前記コンフィギュレータ鍵パッケージを記憶することと、
を行わせる、第１のコンフィギュレータデバイス。
［Ｃ１７］
前記命令は、前記プロセッサによって実行されると、前記第１のコンフィギュレータデバイスに、
前記コンフィギュレータ秘密署名鍵とは異なる暗号鍵を使用して、前記コンフィギュレータ鍵パッケージを暗号化すること、
をさらに行わせる、Ｃ１６に記載の第１のコンフィギュレータデバイス。
［Ｃ１８］
前記命令は、前記プロセッサによって実行されると、前記第１のコンフィギュレータデバイスに、
秘密鍵暗号化技法を使用して前記コンフィギュレータ秘密署名鍵を暗号化することと、  前記コンフィギュレータ鍵パッケージのヘッダ中に前記秘密鍵暗号化技法のインジケーションを含めることと、
をさらに行わせる、Ｃ１６に記載の第１のコンフィギュレータデバイス。
［Ｃ１９］
前記命令は、前記プロセッサによって実行されると、前記第１のコンフィギュレータデバイスに、
前記コンフィギュレータ鍵パッケージと復号情報とを含むデジタルエンベロープを生成することをさらに行わせ、前記復号情報は、前記第２のコンフィギュレータデバイスが前記コンフィギュレータ鍵パッケージの少なくとも前記部分を復号することを可能にする、  Ｃ１６に記載の第１のコンフィギュレータデバイス。
［Ｃ２０］
前記コンフィギュレータ鍵パッケージを記憶するための前記命令は、前記コンフィギュレータ鍵パッケージのバックアップを記憶するための命令を含み、前記命令は、前記プロセッサによって実行されると、前記第１のコンフィギュレータデバイスに、
前記ストレージロケーションから前記コンフィギュレータ鍵パッケージの前記バックアップを検索することと、
前記コンフィギュレータ鍵パッケージの少なくとも前記一部分を復号することと、
前記コンフィギュレータ鍵パッケージから前記コンフィギュレータ秘密署名鍵を取得することと、
をさらに行わせる、Ｃ１６に記載の第１のコンフィギュレータデバイス。
［Ｃ２１］
前記命令は、前記プロセッサによって実行されると、前記第１のコンフィギュレータデバイスに、
前記ストレージロケーションにおけるコンフィギュレータ鍵パッケージのロケーションアドレスを決定することと、
前記第２のコンフィギュレータデバイスに前記ロケーションアドレスを提供することと、
をさらに行わせる、Ｃ１６に記載の第１のコンフィギュレータデバイス。
［Ｃ２２］
前記命令は、前記プロセッサによって実行されると、前記第１のコンフィギュレータデバイスに、
前記第２のコンフィギュレータデバイスに復号情報を提供することをさらに行わせ、前記復号情報は、前記第２のコンフィギュレータデバイスが前記コンフィギュレータ鍵パッケージの少なくとも前記一部分を復号することと、前記コンフィギュレータ秘密署名鍵を取得することと、を可能にする、
Ｃ１６に記載の第１のコンフィギュレータデバイス。
［Ｃ２３］
前記復号情報は、前記ストレージロケーションにおける前記コンフィギュレータ鍵パッケージのロケーションアドレスと、前記コンフィギュレータ鍵パッケージの少なくとも前記一部分を復号するために使用可能な暗号鍵と、からなるグループから選択される少なくとも１つのメンバを含む、Ｃ２２に記載の第１のコンフィギュレータデバイス。
［Ｃ２４］
前記命令は、前記プロセッサによって実行されると、前記第１のコンフィギュレータデバイスに、
前記第１のコンフィギュレータデバイスのディスプレイ、スピーカ、光信号、センサインターフェース、および短距離無線周波数インターフェース、からなるグループから選択される少なくとも１つのメンバを使用して前記復号情報を提供すること、
をさらに行わせる、Ｃ２２に記載の第１のコンフィギュレータデバイス。
［Ｃ２５］
命令を記憶したコンピュータ可読媒体であって、前記命令は、第１のコンフィギュレータデバイスのプロセッサによって実行されると、前記第１のコンフィギュレータデバイスに、
前記第１のコンフィギュレータデバイスに関連付けられた少なくともコンフィギュレータ秘密署名鍵を含む、コンフィギュレータ鍵パッケージを生成することと、
前記コンフィギュレータ鍵パッケージの少なくとも一部分を暗号化することと、
前記第１のコンフィギュレータデバイスまたは第２のコンフィギュレータデバイスによる後の検索のために、ストレージロケーションに前記コンフィギュレータ鍵パッケージを記憶することと、
を行わせる、第１のコンフィギュレータデバイス。
［Ｃ２６］
第２のコンフィギュレータデバイスによって行われる方法であって、
前記第２のコンフィギュレータデバイスにおいて、ストレージロケーションからコンフィギュレータ鍵パッケージを取得することと、ここにおいて、前記コンフィギュレータ鍵パッケージの少なくとも一部分は暗号化され、前記コンフィギュレータ鍵パッケージは、第１のコンフィギュレータデバイスに関連付けられたコンフィギュレータ秘密署名鍵を少なくとも含み、
前記コンフィギュレータ鍵パッケージの少なくとも前記一部分を復号することと、
前記コンフィギュレータ鍵パッケージから前記コンフィギュレータ秘密署名鍵を取得することと、
デバイスプロビジョニングプロトコルに従って、前記コンフィギュレータ秘密署名鍵を利用して、ネットワーク用にエンローリデバイスをプロビジョニングすることと、
を備える、方法。
［Ｃ２７］
前記第１のコンフィギュレータデバイスから復号情報を取得することをさらに備え、前記復号情報は、前記第２のコンフィギュレータデバイスが前記コンフィギュレータ鍵パッケージの少なくとも前記一部分を復号することを可能にする、
Ｃ２６に記載の方法。
［Ｃ２８］
前記復号情報は、前記ストレージロケーションにおける前記コンフィギュレータ鍵パッケージのロケーションアドレスと、前記コンフィギュレータ鍵パッケージの少なくとも前記一部分を復号するために使用可能な暗号鍵と、からなるグループから選択される少なくとも１つのメンバを含む、Ｃ２７に記載の方法。
［Ｃ２９］
前記復号情報を取得することは、前記第１のコンフィギュレータデバイスのディスプレイ、スピーカ、光信号、センサインターフェース、および短距離無線周波数インターフェース、からなるグループから選択される少なくとも１つのメンバを使用して前記復号情報を取得することを含む、Ｃ２７に記載の方法。
［Ｃ３０］
前記復号情報を取得することは、前記第２のコンフィギュレータデバイスに関連付けられたカメラを介して、前記復号情報が符号化されているイメージを取得することと、
前記復号情報を検索するために前記イメージを復号することと、
を含む、Ｃ２７に記載の方法。